(57)【要約】      （修正有）【課題】伴侶動物の歯の健康に効果的なフィンガー歯ブラシを提供する。【解決手段】円筒状のボディ１０１の一側の外面に多数のブラシ１１１が備えられたモーションパネル１１０が形成され、円筒状のボディ１０１の他側には使用者の指挿入のための挿入口が形成される。ブラシ１１１が形成されたモーションパネル１１０がボディ１０１について上下方向に往復スライド運動し、または振動を発生させることで、伴侶犬の歯をきれい且つ細密に磨くことができ、歯茎のマッサージを通じて健康した歯茎を維持させることができる。【選択図】図１
2018000942.tif 000002
【特許請求の範囲】
【請求項１】
一側が開放され、外面にスライド凹部１０２が備えられた円筒状のボディ１０１と、
上面にブラシ１１１が形成され、下面にカム挿入溝１１３が形成され、前記スライド凹部１０２に設置されるモーションパネル１１０と、
軸にカム１１６が締結され、カム１１６が前記スライド凹部１０２に設置されたモーションパネル１１０のカム挿入溝１１３に挿入されるようにスライド凹部１０２に固定されたモータ１１５と、
前記モーションパネル１１０の内部に設けられて振動を発生させるバイブレータ１１４と、
前記ボディ１０１に設けられて、前記モータ１１５及びバイブレータ１１４を選択的に駆動させるコントロールノブ１０３、及び、
前記ボディ１０１内部の端部に設けられたスイッチ１０６を含み、
前記モーションパネル１１０、モータ１１５、バイブレータ１１４、スイッチ１０６及びコントロールノブ１０３が前記ボディ１０１に一体で形成されて片手操作が可能であり、
モータ１１５の駆動によりカム１１６が回転することで、モーションパネル１１０がスライド凹部１０２に沿って往復スライディングし、前記バイブレータ１１４の駆動によって前記モーションパネル１１０が振動し、
前記コントロールノブ１０３の操作で前記モーションパネル１１０の往復スライドモーションと振動のうち少なくともいずれかを実行し、
前記コントロールノブ１０３は、「バイブレータＯＦＦ」、「バイブレータＯＮ」、「モーションパネル往復運動ＯＦＦ＆バイブレータＯＮ」の３段スイッチで構成され、
前記「バイブレータＯＦＦ」モードでは、モーションパネル１１０の往復スライド運動のみ行い、前記「バイブレータＯＮ」モードでは、モーションパネル１１０の往復スライド運動とともに、バイブレータ１１４の振動を同時に行い、前記「モーションパネル往復運動ＯＦＦ＆バイブレータＯＮ」モードでは、使用者の指がボディ１０１内部のスイッチ１０６に接した状態であっても、モーションパネル１１０の往復スライド運動を中止させてバイブレータ１１４だけ駆動して振動のみを行い、
前記コントロールノブ１０３は開放された一側の挿入口側にリング状で設けられて回転スイッチングが行われ、
指が前記コントロールノブ１０３を通過して前記スイッチ１０６にタッチされると、前記モーションパネル１１０が前記コントロールノブ１０３操作に対応して駆動し、
前記スイッチ１０６がタッチされた条件で前記コントロールノブの操作に対応して当該モードの動作が行われる、
伴侶動物用のフィンガー歯ブラシ。
【請求項２】
前記スライド凹部１０２の枠とモーションパネル１１０の枠には、延性のある素材の放水膜が形成されたことを特徴とする請求項１に記載の伴侶動物用のフィンガー歯ブラシ。
【発明の詳細な説明】
【技術分野】
【０００１】
本発明は伴侶動物用のフィンガー歯ブラシ（Ｆｉｎｇｅｒｔｉｐ  ｔｏｏｔｈｂｒｕｓｈ  ｆｏｒ  ｐｅｔ）に関するものであって、特に、フィンガー歯ブラシのブラシが振動及び上下方向にスライド駆動することにより、精密で且つ正確な歯磨きが可能であり、伴侶動物の歯の健康に効果的なフィンガー歯ブラシに関するものである。
【背景技術】
【０００２】
現代社会は、徐々に核家族化が進められて来ており、近年では核家族を越えて、一人世帯が増大している。このような社会的傾向に合わせて伴侶動物を飼っている家庭が増えている。
【０００３】
伴侶動物は定期的に洗浄し、予防注射を接種させるなど、多くの管理が要求されているが、相対的に伴侶動物の歯のケアは十分に行われていない。
【０００４】
伴侶動物も歯磨きをしなければ、ひどい口臭や歯周炎が容易に発生する。歯周炎が長く放置された場合、歯茎疾患につながって虫歯や歯茎出血、さらには歯が抜けてしまう。
【０００５】
また、歯の細菌が体内に流入されると、心臓や、肺、腎臓などに悪影響を及ぼし、また、他の疾病を誘発させたりもする。
【０００６】
このような問題点によって最近は伴侶動物、特に伴侶犬のための専用歯ブラシが多く出ており、手軽に購入して使用できるようになった。  
【０００７】
伴侶犬用の歯ブラシは、人々が使用する歯ブラシと同様にスティックの端部にブラシが形成された形態であるが、小型犬の場合口が小さいため正確且つ精密な歯磨きが困難であり、伴侶犬の歯茎にしばしば傷をつける問題がある。
【０００８】
このような問題点に対し、使用者の指にはめて歯磨きができるように軟質のシリコンを素材にして円筒状のボディを整形し、端部にブラシを形成したフィンガー歯ブラシが普及して使われている。
【０００９】
このようなフィンガー歯ブラシは使用者の指にはめて使用するので、上述のスティック型歯ブラシよりきれいに歯磨きをすることができるが、歯磨きする間に指を細密に動かし続けなければならないため、使用が不便な短所がある。
【先行技術文献】
【特許文献】
【００１０】
【特許文献１】韓国公開実用新案公報第２０−１９９８−０００４２３９号「フィンガー歯ブラシ」
【特許文献２】韓国登録実用新案公報第２０−０３９０１６２号「フィンガー歯ブラシ」
【特許文献３】韓国登録実用新案公報第２０−０２８２８３０号「歯茎マッサ具が備えられた幼児用のフィンガー歯ブラシ」
【発明の概要】
【発明が解決しようとする課題】
【００１１】
本発明は、前記の従来技術の問題点を解決することを課題とする。使用者の指にはめて使用するフィンガー歯ブラシのブラシが上下方向に往復スライド移動し、または振動を発生させることで、伴侶犬の歯をきれいで且つ細密に磨きながら、使用が便利な伴侶動物用のフィンガー歯ブラシを提供することを課題とする。
【課題を解決するための手段】
【００１２】
前記の目的を達成するために、本発明による伴侶動物用のフィンガー歯ブラシは一側が開放され、外面にスライド凹部が備えられた円筒状のボディと、上面にブラシが形成され、下面にカム挿入溝が形成され、前記スライド凹部に設置されるモーションパネル、及び軸にカムが締結され、カムが前記スライド凹部に設置されたモーションパネルのカム挿入溝に挿入されるようにスライド凹部に固定されたモータと、を備えることで、モータの駆動によりカムが回転しながらモーションパネルをスライド凹部に沿って往復スライド駆動するように構成される。
【００１３】
この時、前記スライド凹部の枠とモーションパネルの枠には延性がある素材の防水膜を形成することで、伴侶動物の唾や水が染み込まれることを防止するように構成される。
【００１４】
また、前記モーションパネルの内部には振動を発生させるバイブレーターを設けることで、ブラシの上下方向の運動とともに振動が加えられるように構成される。
【００１５】
また、前記ボディ内部の終端部分にスイッチが設けられて、指をボディにはめると指が前記スイッチをタッチして自動的にモーションパネルが駆動するように構成される。
【００１６】
また、前記ボディにコントロールノブを設けて、前記コントロールノブの操作でモーションパネルの往復スライドモーションと振動をそれぞれオン／オフ制御することで、ブラシの往復スライドモーション、ブラシの振動またはブラシの振動と共に往復スライドモーションのうちいずれか一つを選択するように構成される。
【発明の効果】
【００１７】
前記のように構成された本発明による伴侶動物用のフィンガー歯ブラシは、使用者の指にはめて使用するフィンガー歯ブラシのブラシが上下方向に往復スライド移動し、または振動を発生させることで、伴侶犬の歯をきれいで且つ細密に磨くことができ、歯磨きをする間に使用者の指を動かす必要がなく、歯磨きの位置だけを決めればよいので、使用が非常に便利である。
【図面の簡単な説明】
【００１８】
【図１】本発明による伴侶動物用のフィンガー歯ブラシを示した斜視図である。
【図２】本発明によるフィンガー歯ブラシのモーションパネル構造を示した断面図である。
【図３】モータに電源が供給される前のカム位置を示す図。
【図４】モータに電源が供給されたフィンガー歯ブラシのカムの回転によるモーションパネル上下方向の往復スライドモーションの駆動過程を示す図。
【図５】モータに電源が供給されたフィンガー歯ブラシのカムの回転によるモーションパネル上下方向の往復スライドモーションの駆動過程を示す図。
【図６】フィンガー歯ブラシ内部に設けられた駆動スイッチを示す図。
【図７】本発明のフィンガー歯ブラシを指に装着した状態を示す図。
【発明を実施するための形態】
【００１９】
以下、本発明の望ましい実施例及び添付の図面を参照して本発明を詳細に説明する。図面の同一の参照符号は同一の構成要素を称することを前提して説明する。
【００２０】
発明の詳細な説明または特許請求の範囲において、いずれか一つの構成要素が他の構成要素を「含む」との記載は特に反対の記載がない限り、当該構成要素のみからなると限られて解釈せずに、他の構成要素を更に含むことができると理解すべきである。
【００２１】
本発明による伴侶動物用のフィンガー歯ブラシは、図１に示すように円筒状のボディ１０１の一側の外面に多数のブラシ１１１が備えられたモーションパネル１１０が形成され、円筒状のボディ１０１の他側には使用者の指挿入のための挿入口が形成される。
【００２２】
本発明によるフィンガー歯ブラシは、ブラシ１１１が形成されたモーションパネル１１０がボディ１０１について上下方向に往復スライド運動し、または振動を発生させることで、伴侶犬の歯をきれい且つ細密に磨くことができ、歯茎のマッサージを通じて健康した歯茎を維持させることができる。
【００２３】
前記モーションパネル１１０は、上面にブラシ１１１が形成された平板状で整形されたものであって、図２のようにボディ１０１の上部に凹状で形成されたスライド凹部１０２に設置される。
【００２４】
前記スライド凹部１０２には、モータ１１５駆動によって回転するカム１１６が設けられるが、前記モーションパネル１１０の下面には凹状でカム挿入溝１１３が形成されることにより、モーションパネル１１０がスライド凹部１０２に設置される時、前記カム１１６がモーションパネル１１０のカム挿入溝１１３に挿入される。
【００２５】
前記モーションパネル１１０は、ボディ１０１のスライド凹部１０２に締結されたモータ１１５の駆動で回転するカム１１６によって上下方向に往復スライド運動するように構成される。
【００２６】
図３のように、モーションパネル１１０の下面に形成されたカム挿入溝１１３は、ボディ１０１の長さ（軸）方向に長くカム挿入溝１１３が形成されるが、以下では図４においてカム１１６が接しているカム挿入溝１１３の内壁を「上部内壁」と言い、上部内壁と向かい合っているカム挿入溝１１３の内壁を「下部内壁」と言い、カム１１６の両側に形成されたカム挿入溝１１３の内壁を「側部内壁」という。
【００２７】
モータ１０１に電源が供給される前の状態は、図３のようにカム１１６の端部が長孔状で長く形成されたカム挿入溝１１３の側部内壁を向かっているが、この時はカム１１６の端部が側部内壁と接していない状態である。
【００２８】
そして、ボディ１０１に締結固定されたモータ１０１に電源が供給されれば、モータ１０１軸に締結されたカム１１６が回転し、カム１１６が回転しながらカム１１６の終端部がカム挿入溝１１３の上部内壁に接するようになり、カム１１６がカム挿入溝１１３の上部内壁と接した状態で回転し、図４のようにモーションパネル１１０をスライド凹部１０２の上部まで押し上げる。
【００２９】
そして、カム１１６が続いて回転すると、カム１１６の端部がカム挿入溝１１３の下部内壁に接するようになり、カム１１６がカム挿入溝１１３の下部内壁と接した状態で回転し、図５のようにモーションパネル１１０をスライド凹部１０２の下部まで押し下げる。
【００３０】
前記のようにモータ１１５の駆動によって上述の過程を繰り返しながら、ボディ１０１のスライド凹部１０２に沿ってモーションパネル１１０の上下方向に往復スライド運動が行われる。
【００３１】
したがって、図７のように使用者が本発明のフィンガー歯ブラシを指に装着した状態でブラシ１１１を伴侶犬の歯に当てさえすればフィンガー歯ブラシのモーションパネル１１０が上下方向に往復スライド運動してモーションパネル１１０に形成されたブラシ１１１が伴侶犬の歯をきれいに磨くことができる。
【００３２】
そして、図２乃至図５に示したように、モーションパネル１１０の内部には電源の供給によって振動を発生させるバイブレータ１１４が設けられる。
【００３３】
前記バイブレータ１１４はモーションパネル１１０の内部に締結、固定されることで電源の供給によってバイブレータ１１４が駆動すると、モーションパネル１１０に形成されたブラシ１１１に振動が伝わる。
【００３４】
前記のようにブラシ１１１が振動すれば、伴侶犬の歯を隅まで細かく且つきれいに磨けるだけでなく、歯茎に振動刺激を与えて健康な歯茎を維持することができる。
【００３５】
前記バイブレータ１１４は、モーションパネル１１０が上下方向にスライドの往復運動する時、同時に作動することもでき、モーションパネル１１０が上下方向にスライド往復運動しない時も単独で動作することもある。
【００３６】
前記バイブレータ１１４は、公知の技術であるのでバイブレータ１１４の内部構造に対する詳細な説明は省略する。
【００３７】
上述したモーションパネル１１０を上下方向に往復スライド駆動するモータ１１５と、バイブレータ１１４をオン／オフ制御するスイッチは、様々な形で構成され得るが、本発明の実施例においては、図１のようにフィンガー歯ブラシに挿入口側にコントロールノブ１０３スイッチを設けて、図６のようにフィンガー歯ブラシの内部にスイッチ１０６及び電源を供給するバッテリー１０５を設ける。
【００３８】
本発明の実施例においては、前記コントロールノブ１０３と内部のスイッチ１０６を通じてモーションパネル１１０の往復スライド運動及び振動をオン／オフ制御することができる。
【００３９】
使用者の指をフィンガー歯ブラシに挿入すると、指がボディ１０１内部のスイッチ１０６に接触して自動的にモーションパネル１１０が往復スライド作動するように構成することで別のオン／オフ操作なしに手軽に使用することができる。
【００４０】
また、図１のコントロールノブ１０３を回すことで、モーションパネル１１０内部のバイブレータ１１４のオン／オフ及びバイブレータ１１４の単独駆動のためにモーションパネル１１０の往復スライド運動をオン／オフ制御するように構成する。
【００４１】
本発明の実施例においては、前記コントロールノブ１０３を「バイブレータＯＦＦ」、「バイブレータＯＮ」、「モーションパネル往復運動ＯＦＦ＆バイブレータＯＮ」の３段スイッチで構成することにより、コントロールノブ１０３の「バイブレータＯＦＦ」モードでは、モーションパネル１１０の往復スライド運動のみ行い、「バイブレータＯＮ」モードでは、モーションパネル１１０の往復スライド運動とともにバイブレータ１１４の振動が同時に行い、「モーションパネル往復運動ＯＦＦ＆バイブレータＯＮ」モードでは、使用者の指がボディ１０１内部のスイッチ１０６に接した状態であっても、モーションパネル１１０の往復スライド運動を中止させてバイブレータ１１４だけ駆動して振動のみ行う。
【００４２】
この時、このようなコントロールノブ１０３の操作は、使用者が本発明のフィンガー歯ブラシを装着した状態、つまり使用者の指がボディ１０１内部のスイッチ１０６に接した状態でのみ作動されるように構成することが好ましい。
【００４３】
そして、本発明がフィンガー歯ブラシを使用する時、伴侶犬の唾や水が染み込んでモータ１１５をはじめ内部の電気装置が故障し得るが、これを防止するために図２のようにモーションパネル１１０の枠部分と、ボディ１０１のスライド凹部１０２の枠に防水膜１１２を締結して密閉することで、水分が内部に浸透できないように構成することが好ましい。
【００４４】
前記放水膜１１２は、シリコンのように丈夫で延性の優れた素材で成形することにより、モーションパネル１１０が往復スライド運動する時、放水膜１１２が折れたり伸びたりして破損されないようにする。
【００４５】
前記のように構成された本発明は、使用者の指にはめれば自動的にフィンガー歯ブラシのブラシが上下方向に往復スライド移動し、または振動を発生させることで伴侶犬の歯をきれいで且つ細密に磨くことができ、歯磨きをする間に使用者の指を動かす必要がなく、歯磨きの位置だけ取れば良いので使用が非常に便利である。
【００４６】
以上、上述の実施例を通じて、本発明の技術的思想を調べた。
【００４７】
本発明の属する技術分野における通常の知識を有する者が本発明の記載事項から前記調べた実施例を多様に変形したり、変更できることは自明である。
【００４８】
また、たとえ明示的に図示されず、又は説明されなかったとしても、本発明が属する技術分野における通常の知識を有する者が本発明の記載事項から本発明による技術的思想を含む多様な形態の変形ができることは自明であり、これは依然として本発明の権利範囲に属する。
【００４９】
添付する図面を参照して説明された前記の実施例は、本発明を説明するための目的で記述されたものであり、本発明の権利範囲はこれらの実施例に限られない。
【符号の説明】
【００５０】
１０１  ボディ
１０２  スライド凹部
１０３  コントロールノブ
１０４  インジケーター
１０５  バッテリー  
１０６  スイッチ
１１０  モーションパネル
１１１  ブラシ
１１２  放水膜
１１３  カム挿入溝
１１４  バイブレータ
１１５  モータ
１１６  カム
【図１】
2018000942.tif 000003
【図２】
2018000942.tif 000004
【図３】
2018000942.tif 000005
【図４】
2018000942.tif 000006
【図５】
2018000942.tif 000007
【図６】
2018000942.tif 000008
【図７】
2018000942.tif 000009